(57)【要約】【課題】  メダル払出装置における複数の異常判定処理を備える遊技機を提供する。【解決手段】  遊技媒体の払い出しを行う遊技媒体払出手段と、遊技媒体払出手段から払い出される遊技媒体を検出する遊技媒体検出手段と、遊技媒体検出手段が遊技媒体を検出している時間である第１時間を計測するとともに、遊技媒体検出手段が遊技媒体を連続して検出するときであって、遊技媒体を検出した後から次の遊技媒体を検出するまでの間の時間である第２時間を計測する時間計測手段と、第１時間の基準時間をａ、第２時間の基準時間をｂとしたとき、時間計測手段により計測された第１時間が、２ａ＋ｂよりも長い場合に、遊技媒体払出手段の作動状態を異常と判定する異常判定手段とを備える構成としてある。【選択図】図５
2020120808.tif 000002
【特許請求の範囲】
【請求項１】
遊技媒体の払い出しを行う遊技媒体払出手段と、
前記遊技媒体払出手段から払い出される遊技媒体を検出する遊技媒体検出手段と、
前記遊技媒体検出手段が遊技媒体を検出している時間である第１時間を計測するとともに、前記遊技媒体検出手段が遊技媒体を連続して検出するときであって、遊技媒体を検出した後から次の遊技媒体を検出するまでの間の時間である第２時間を計測する時間計測手段と、
前記第１時間の基準時間をａ、前記第２時間の基準時間をｂとしたとき、前記時間計測手段により計測された前記第１時間が、２ａ＋ｂよりも長い場合に、前記遊技媒体払出手段の作動状態を異常と判定する異常判定手段と、
を備えることを特徴とする遊技機。
【請求項２】
前記遊技媒体払出手段の作動状態を異常と判定した回数を異常回数として計数する回数計数手段を備え、
前記異常判定手段は、
前記回数計数手段により計数された前記異常回数が予め設定された回数よりも多い場合に、前記遊技媒体払出手段の作動状態を異常と判定する
ことを特徴とする請求項１に記載の遊技機。
【請求項３】
前記異常判定手段は、
少なくとも前記第１時間に対して設定される第１閾値と、前記第１閾値より低い第２閾値と、前記第２閾値より低い第３閾値とが予め設定され、
前記第１時間が前記第１閾値以上の場合には、前記遊技媒体払出手段の作動状態を異常と判定するとともに、前記第１時間が前記第１閾値未満、かつ、前記第２閾値以上である場合には、前記第１閾値を前記第２閾値及び前記第３閾値のいずれか一方に更新して、前記遊技媒体払出手段の作動状態を段階的に判定する
ことを特徴とする請求項１又は２に記載の遊技機。
【請求項４】
遊技媒体を払い出すために駆動する払出駆動手段と、
前記払出駆動手段の電流値を計測する電流計測手段と、
を備え、
前記異常判定手段は、
前記時間計測手段が計測した前記第１時間と前記電流計測手段が計測した前記払出駆動手段の前記電流値とを比較して、前記第１時間が検出されないにも関わらず、前記払出駆動手段の前記電流値が閾値を超える場合には、前記遊技媒体払出手段の作動状態を異常と判定する
ことを特徴とする請求項１〜３のいずれか一項に記載の遊技機。
【請求項５】
前記第１時間と前記第２時間とを記憶する時間記憶手段を備え、
前記異常判定手段は、
前記時間記憶手段により、記憶された前記第１時間と前記第２時間とを一定の区間ごとにそれぞれ平均化して求めた平均データに基づいて、
前記第１時間と前記第２時間とをそれぞれ更新し、更新した前記第１時間の基準時間をａ、更新した前記第２時間の基準時間をｂとしたとき、前記時間計測手段により計測された前記第１時間が、２ａ＋ｂよりも長い場合に、前記遊技媒体払出手段の作動状態を異常と判定する
ことを特徴とする請求項１〜４のいずれか一項に記載の遊技機。
【請求項６】
前記異常判定手段により、前記平均データが予め設定された交換基準値に達したと判定された場合には、前記遊技媒体検出手段の交換を促す報知を行う報知手段を備える
ことを特徴とする請求項５に記載の遊技機。
【請求項７】
遊技媒体の払い出しを行う遊技媒体払出手段と、
遊技媒体の払い出しに応じて一方向に回転する回転板に周設された複数の回転片を検出することに基づいて、遊技媒体の払い出しを検出する遊技媒体検出手段と、
前記回転片は、少なくとも互いに異なる形状の第１回転片と、第２回転片と、第３回転片とをそれぞれ含み、この順で並んで形成されており、
前記第１回転片の後に前記第２回転片が検出されない場合、前記第２回転片の後に前記第３回転片が検出されない場合、前記第３回転片の後に他の前記回転片を形成しない場合には、前記第３回転片の後に前記第１回転片が検出されない場合、前記第３回転片の後に他の前記回転片を形成した場合には、他の前記回転片の後に前記第１回転片が検出されない場合のうち、いずれかに該当する場合には、前記遊技媒体払出手段の作動状態を異常と判定する異常判定手段と、
を備えることを特徴とする遊技機。
【発明の詳細な説明】
【技術分野】
【０００１】
本発明は、遊技機に関するものである。
【背景技術】
【０００２】
メダルの貯留及び払い出しを行うメダル払出装置には、払い出されるメダルを検出するセンサが設けられており、このセンサが主制御部に対し検出したことを示す検出信号を出力することで、主制御部は、払い出されたメダル数をカウントする構成となっている。
そして、主制御部は、所望のメダル枚数が払い出されたときに、メダル払出装置の払い出しを停止するように制御する（例えば、特許文献１）。
【先行技術文献】
【特許文献】
【０００３】
【特許文献１】特開２００９−０１１６４０号公報
【発明の概要】
【発明が解決しようとする課題】
【０００４】
しかしながら、従来の遊技機には、改良すべき余地があった。
【課題を解決するための手段】
【０００５】
上記課題を達成するため、本発明の遊技機は、遊技媒体の払い出しを行う遊技媒体払出手段と、前記遊技媒体払出手段から払い出される遊技媒体を検出する遊技媒体検出手段と、前記遊技媒体検出手段が遊技媒体を検出している時間である第１時間を計測するとともに、前記遊技媒体検出手段が遊技媒体を連続して検出するときであって、遊技媒体を検出した後から次の遊技媒体を検出するまでの間の時間である第２時間を計測する時間計測手段と、前記第１時間の基準時間をａ、前記第２時間の基準時間をｂとしたとき、前記時間計測手段により計測された前記第１時間が、２ａ＋ｂよりも長い場合に、前記遊技媒体払出手段の作動状態を異常と判定する異常判定手段とを備える構成としてある。
【図面の簡単な説明】
【０００６】
【図１】本発明の一実施形態に係る遊技機の外観を示す正面図である。
【図２】本発明の一実施形態に係る遊技機の内部構成を示す斜視図である。
【図３】本発明の一実施形態に係る遊技機の制御系の構成を示すブロック図である。
【図４】メダル払出装置のホッパーを外した払出装置の外観を示す平面図である。
【図５】メダル払出装置の作動状態が正常時の検出信号のタイミングチャートである。
【図６】メダル払出装置の作動状態が異常時の検出信号のタイミングチャートである。
【図７】異常と判定した回数を計数する異常判定処理を示すフローチャートである。
【図８】段階的な異常判定処理を示すフローチャートである。
【図９】（ａ）〜（ｆ）は段階的な異常判定処理の例を示す説明図である。
【図１０】主制御部とメダル払出装置の構成を示すブロック図である。
【図１１】モータ電流と検出信号のタイミングチャートを示しており、（ａ）はメダル払出装置の作動状態が正常時、（ｂ）はメダル払出装置の作動状態が異常時である。
【図１２】起動時及び停止時のモータ電流を示すタイミングチャートである。
【図１３】メダル払出装置から出力される検出信号のデータを示しており、（ａ）は第１時間と第２時間のデータ、（ｂ）は第１時間と第２時間の平均データである。
【図１４】表示器に表示される画面を示しており、（ａ）は前扉が閉状態時の選択画面、（ｂ）は前扉が開状態時の選択画面、（ｃ）は選択画面で選択されたホール様専用画面である。
【図１５】払出センサと回転板（スリット無）の位置関係を示しており、（ａ）は払出装置の外観を示す平面図、（ｂ）は回転板の拡大図である。
【図１６】払出センサと回転板（スリット有）の位置関係を示しており、（ａ）は払出装置の外観を示す平面図、（ｂ）は回転板の拡大図である。
【図１７】回転板（スリット有）を示しており、（ａ）は回転板の正面図、（ｂ）はメダル払出装置の作動状態が正常時の検出信号のタイミングチャート、（ｃ）はメダル払出装置の作動状態が異常時の検出信号のタイミングチャートである。
【図１８】回転板（スリット有）の変形例を示しており、（ａ）は回転板の正面図、（ｂ）はメダル払出装置の作動状態が正常時の検出信号のタイミングチャート、（ｃ）はメダル払出装置の作動状態が異常時の検出信号のタイミングチャートである。
【発明を実施するための形態】
【０００７】
図面を参照しながら、本発明の好ましい実施形態について説明する。
なお、遊技機は、遊技場などに設置されるものであり、様々な種類があるが、本発明の一例として、スロットマシン１に適用した場合について説明する。
【０００８】
［スロットマシン本体］
図１〜３に示すように、本実施形態のスロットマシン１は、回転可能に軸支された複数のリール４１ａ、４１ｂ、４１ｃが内蔵され、前面が開口された箱状の筐体１ｂと、筐体１ｂの前面側の開口を開閉する前扉１ａとで構成されている。
そして、スロットマシン１の内部には、マイクロコンピュータなどで構成された主制御部７と、主制御部７からの指令により、ランプ９ａ、スピーカ９ｂ及び表示器９ｃなどの報知手段を制御する副制御部８と、必要な機械及び装置などが収納されている。
【０００９】
前扉１ａには、発光による演出や報知を行うランプ９ａと、画面に動画や静止画を表示して演出を行う表示器９ｃと、各リール４１ａ、４１ｂ、４１ｃに表示された図柄を視認可能とする表示窓２ｂとが遊技操作に係る複数の各操作部の上側に設けられている。
【００１０】
操作部としては、例えば、円板形状の遊技媒体であるメダルが投入され、遊技媒体投入口であるメダル投入口２と、機内にクレジットとして貯留されたメダルをゲームに投じるベットボタン２ａと、各リール４１ａ、４１ｂ、４１ｃの回転を始動させるスタートレバー３と、回転している各リール４１ａ、４１ｂ、４１ｃを停止させる３つの停止ボタン５ａ、５ｂ、５ｃとが設けられている。
【００１１】
また、前扉１ａの下部には、各種演出や報知を行うために、音声メッセージや効果音などを出力するスピーカ９ｂと、メダルの払出口であるメダル払出口６ａとが設けられ、このメダル払出口６ａから遊技者にメダルを払い出す構成になっている。
【００１２】
図２は、前扉１ａを開いた状態のスロットマシン１を示しており、スロットマシン１の筐体１ｂにヒンジなどを介して開閉可能に取り付けられる扉体である。
筐体１ｂの中央には、リール４１ａ、４１ｂ、４１ｃと、各リール４１ａ、４１ｂ、４１ｃを回転させる図示しないリールモータ及び回転位置を検出するセンサなどを備えるドラムユニット４とが設けられている。
また、筐体１ｂの下部には、メダルの貯留及び払い出しを行うメダル払出装置６が設けられている。
続いて、このメダル払出装置６の構成について説明する。
【００１３】
［メダル払出装置］
メダル払出装置６は、遊技媒体払出手段として機能し、遊技媒体であるメダルを貯留するホッパー６０と、ホッパー６０内のメダルをメダル払出口６ａに向けて払い出す払出装置６１とで構成されている。
【００１４】
ホッパー６０は、図２に示すように、上方を開口した開口部を備える合成樹脂製のタンク容器状の貯留部であり、遊技中にメダル切れが生じないようするため、十分な容量としてあり、例えば、遊技において役が成立したときに、ホッパー６０に貯留しているメダルが払出装置６１によって払い出される。
また、メダル投入口２より投入されたメダルは、メダルセレクタ１０内のセンサにより検出され、選別された後、適合するメダルの場合、案内レール２０を経由して、このホッパー６０内に誘導される。
【００１５】
払出装置６１は、ホッパー６０の基台となる装置であり、払出センサ６１ａと、払出ディスク６１ｄと、ホッパーモータ６１ｂとを有して構成されている。
【００１６】
払出センサ６１ａは、遊技媒体検出手段として機能し、例えば、フォトインタラプタなどであり、接触することなく対象物を検出することができる非接触型のセンサである。
具体的には、払出センサ６１ａは、投光部と受光部とが１つのパッケージにコの字状に一定の間隔を持たせて対向して配置されており、投光部からの光を検出物が遮るのを受光部が検出することによって、検出物の有無を判定する検出手段である。
投光部は、投光素子として、例えば、指向性の高い赤外発光ダイオードなどによって構成され、受光部は、受光素子として、例えば、フォトトランジスタやフォトＩＣなどによって構成されている。
そして、払出センサ６１ａは、メダル払出装置６から払い出されるメダルを検出するごとに、主制御部７に対して、検出信号を出力する。
なお、具体的な払出センサ６１ａによるメダルの検出についての説明は、後述する。
【００１７】
払出ディスク６１ｄは、ホッパー６０の底部と連通する上面の払出装置６１に装着される。
また、図４に示すように払出ディスク６１ｄは、ホッパー６０の底部側に時計回り方向に回転可能に配設される円盤状の部材であり、回転円周上に沿って、メダルを１枚ずつ係合するための複数（本実施形態では５個）のメダル孔６１０が等間隔に形成されている。
各メダル孔６１０は、メダルが１枚ずつ係合するように、メダルの直径より一回り程大きい径の貫通孔で、メダル１枚の厚さより大きい深さとなっている。
また、メダル孔６１０は、落下するメダルが滑らかにメダル孔６１０に落ちるように、払出ディスク６１ｄの中心側が外側に滑らかに広がる湾曲形状に形成されている。
また、払出ディスク６１ｄが装着される面は、水平方向に対して、例えば、２５度程度傾斜しており、メダルが払い出されるホッパー払出口６１ｆ側が高く、その反対側が低くなるように構成されている。
【００１８】
ホッパーモータ６１ｂは、払出装置６１の内部に内蔵されており、主制御部７がホッパーモータ６１ｂの回転を制御することにより、回転軸６１１を中心として、払出ディスク６１ｄが回転し、ホッパー６０内のメダルを払い出す。
そして、払出ディスク６１ｄの回転によって払い出されたメダルは、前扉１ａの裏面に配置された返却通路４０を介して、メダル払出口６ａから払い出される。
【００１９】
このような構成とすることで、払出装置６１は、ホッパーモータ６１ｂの回転により払出ディスク６１ｄが回転することでメダルを払い出すことができ、さらにその払い出したメダルを払出センサ６１ａが検出することで、主制御部７に対し、検出信号を出力することができる。
なお、遊技媒体検出手段は、上述したフォトインタラプタなどを用いた非接触型のセンサ以外にも、例えば、払い出されるメダルや後述する回転板６１ｅの表面によって押されて作動する接触型のマイクロスイッチなどを用いてメダルを検出するようにしても良い。
【００２０】
図５は、メダル払出装置６の作動状態が正常時における検出信号のタイミングチャートである。
図５に示すように、払出センサ６１ａは、１枚のメダルが払い出されるたびに、メダルを検出し、主制御部７に対し検出信号を出力する。
そして、主制御部７は、この払出センサ６１ａから出力された検出信号を検出することで、払い出されたメダルの枚数を制御することができる。
【００２１】
具体的には、主制御部７は、払出センサ６１ａが出力する検出信号の立ち下がりエッジの検出により、１枚のメダルの払い出しを判定している。
また、メダル払出装置６が１枚のメダルを払い出すために要する時間は、平均して検出信号のＯＮ状態が２０ｍｓ、検出信号のＯＦＦ状態が６０ｍｓであるため、通常８０ｍｓ（＝２０ｍｓ＋６０ｍｓ）程度である。
【００２２】
本実施形態では、検出信号に対し、検出信号のＯＮ状態である、払出センサ６１ａがメダルを検出している時間（以下、第１時間という）の基準時間をａ、メダルを連続して検出するときであって、検出信号のＯＦＦ状態である、メダルを検出した後から次のメダルを検出するまでの間の時間（以下、第２時間という）の基準時間をｂとして、メダル払出装置６の作動状態を判定している。
なお、メダル払出装置６に対する作動状態の異常を判定できればよいので、検出信号の論理は、正論理又は負論理のいずれでも良い。
【００２３】
続いて、メダル払出装置６の作動状態が異常時における検出信号を説明する。
図６は、メダル払出装置６が異常時における検出信号のタイミングチャートである。
主制御部７は、メダル払出装置６を駆動しないときには、Ｈレベルのホッパー駆動信号を出力し、メダル払出装置６を駆動するときには、Ｌレベルのホッパー駆動信号を出力することで、メダルの払い出し制御を行っている。
ここで、図６に示す第１時間（検出信号のＯＮ状態）は、図５に示す第１時間に比べて長くなっている。
具体的には、図６に示す第１時間は、１枚目のメダルが払い出された後から２枚目のメダルが払い出される間までもＨレベルの状態が維持されている。
これは、払出センサ６１ａに対して、不正な電波を特定のタイミングで照射する不正行為（電波ゴト）により、本来、第２時間である、１枚目のメダルが払い出された後から２枚目のメダルが払い出される間までも強制的にＨレベルの状態にマスクされてしまったためである。
このように、払出センサ６１ａから出力される検出信号を不正に加工して、本来払い出されるはずのメダル枚数より多くのメダルを払い出す不正行為が報告されている。
これは、主制御部７は、１枚のメダルの払い出しを検出信号の立ち下がりエッジで判定しているが、検出信号の不正な加工によって、検出信号の立ち下がりエッジの検出を少なくカウントしてしまい、予定数より多くのメダルを払い出してしまうためである（過払い）。
【００２４】
そこで、本実施形態では、第１時間が、払い出されたメダルの２枚分に相当する時間（第１時間の基準時間ａ×２＋第２時間の基準時間ｂ×１）よりも長い場合に、メダル払出装置６の作動状態を異常と判定する。
これは、メダルを連続して検出するときであって、検出信号のＯＮ状態である第１時間が２０ｍｓ、検出信号のＯＦＦ状態である第２時間が６０ｍｓであるとき、第２時間をＨレベルにするには、不正な電波を最短６０ｍｓ照射する必要があるためである。
すなわち、払出センサ６１ａに対して、最短６０ｍｓの不正な電波を照射できれば、不正に過払いを実現できることになる。
そのため、第１時間の基準時間をａ、第２時間の基準時間をｂとしたとき、主制御部７は、計測された第１時間（検出信号のＯＮ状態）が、「２ａ＋ｂ」よりも長い場合に、メダル払出装置６の作動状態を異常と判定している。
これにより、メダル払出装置６に対する不正行為を早期に判定できるため、上述した不正行為によるメダルの過払いを防止することができる。
また、所定の払出時間以上（例えば、１００ｍｓ以上）で、一律に異常と判定する場合と比べ、検出信号のＯＮ状態及びＯＦＦ状態それぞれを基準としているため、払出センサ６１ａの個体差などの影響を受けにくいというメリットがある。
また、払出センサ６１ａ以外のセンサ（例えば、メダルセレクタ１０内のメダルを検出するセンサや各リール４１ａ、４１ｂ、４１ｃの回転位置を検出するセンサなど）にも容易に用いることができる。
【００２５】
なお、払出ディスク６１ｄに形成されたメダル孔６１０の数は、少ない方が望ましい。
これは、メダル孔６１０の数が少ない分、メダル１枚の払出時間が長くなり、判定時間が長くなるためである。
【００２６】
［異常と判定した回数を計数する異常判定処理］
次に、図７に示すフローチャートを参照しつつ、異常と判定した回数を計数する異常判定処理について説明する。
なお、上述で説明した第１時間（検出信号のＯＮ状態）が、「２ａ＋ｂ」よりも長い場合には、第１時間が「２ａ＋ｂ」以上の場合に、メダル払出装置６の作動状態を異常と判定しても良い。
また、後述する第１時間が異常と判定された回数（以下、異常回数Ａという）が、予め設定された回数よりも多い場合には、異常回数Ａが予め設定された回数以上の場合に、メダル払出装置６の作動状態を異常と判定しても良い。
以下、第１時間が「２ａ＋ｂ」以上の場合、異常回数Ａが予め設定された回数以上の場合をそれぞれ異常と判定する異常判定処理のプログラム構成をフローチャートを用いて説明する。
【００２７】
まず、主制御部７は、第１時間が「２ａ＋ｂ」以上であるか否かを判定する（Ｓ１００）。
このとき、主制御部７は、時間計測手段、異常判定手段として機能し、メダル払出装置６の払出センサ６１ａが出力する検出信号に基づいて、上述で説明した第１時間の基準時間ａ及び第２時間の基準時間ｂをそれぞれ計測する。
そして、主制御部７は、この計測された第１時間の基準時間ａ及び第２時間の基準時間ｂに基づいて、払出センサ６１ａから出力された検出信号ごとに、第１時間が「２ａ＋ｂ」以上である否かを判定し、第１時間が「２ａ＋ｂ」以上である場合は（Ｓ１００：Ｙｅｓ）、Ｓ１１０に処理を進める。
一方、第１時間が「２ａ＋ｂ」未満である場合は（Ｓ１００：Ｎｏ）、異常判定処理を終了する。
【００２８】
次に、主制御部７は、第１時間が「２ａ＋ｂ」以上と判定された回数を計数する（Ｓ１１０）。
主制御部７は、回数計数手段として機能し、Ｓ１００で第１時間が「２ａ＋ｂ」以上と判定された場合に、異常回数Ａに１だけカウント（インクリメント）した後、Ｓ１２０に処理を進める。
【００２９】
次に、主制御部７は、異常回数Ａが予め設定された回数以上であるか否かを判定する（Ｓ１２０）。
主制御部７は、Ｓ１２０における判定の結果、異常回数Ａが設定された回数以上である場合は（Ｓ１２０：Ｙｅｓ）、メダル払出装置６の作動状態を異常と判定し（Ｓ１３０）、異常判定処理を終了する。
一方、異常回数Ａが設定された回数未満である場合は（Ｓ１２０：Ｎｏ）、主制御部７は、メダル払出装置６の作動状態を異常と判定せずに、異常判定処理を終了する。
【００３０】
このように、主制御部７は、メダルが払い出されるたびに、第１時間が「２ａ＋ｂ」以上であるか否かを判定し、第１時間が「２ａ＋ｂ」以上であれば、異常と判定し、さらに、その異常と判定した回数を異常回数Ａとして計数する。
そして、この異常回数Ａが予め設定された回数以上である場合に、正式にメダル払出装置６の作動状態を異常と判定する。
例えば、スロットマシン１のセキュリティ強化のため、メダルの払い出し時間において、異常と判定する時間を短く設定すると、偶然、遅延した場合にも主制御部７は、メダル払出装置６の作動状態を異常と判定してしまうことがある。
そして、遊技場の従業員が、異常と判定されるたびに、確認作業を行わなければならず、遊技機の稼動の低下を招くことになる。
これに対して、本実施形態のように、異常回数Ａが予め設定された回数以上の場合に、正式にメダル払出装置６の作動状態を異常と判定するため、誤った判定を防ぐことができる。
この結果、払出センサ６１ａから出力された検出信号の誤検出を考慮した異常判定処理を行うことができる。
【００３１】
［段階的な異常判定処理］
次に、図８に示すフローチャートを参照しつつ、段階的な異常判定処理について説明する。
段階的な異常判定処理では、エラーレベルをレベル１からレベル２、レベル２からレベル３へと閾値を低くして、不正行為に対する監視を強化し、メダル払出装置６の作動状態を判定することができる。
【００３２】
まず、主制御部７は、エラーレベルを「レベル１」に設定する（Ｓ２００）。
エラーレベルは、第１時間に対して設定される閾値であり、異なる複数のエラーレベルを予め設定することで、主制御部７は、メダル払出装置６の作動状態を段階的に判定することが可能になる。
なお、１回の払い出しが完了するまで、設定されたエラーレベルが維持され、払い出されたメダルごとに異常判定処理が終了となるまで、判定処理は続くことになる。
そして、１回の払い出しが完了した時点で、エラーレベルが初期化（レベル１）される。
【００３３】
次に、主制御部７は、第１時間が「３００ｍｓ」以上であるか否かを判定する（Ｓ２１０）。
主制御部７は、レベル１の閾値で異常判定処理をするため、第１時間が「３００ｍｓ」以上であるか否かを判定する。
第１時間が「３００ｍｓ」以上である場合は（Ｓ２１０：Ｙｅｓ）、主制御部７は、メダル払出装置６の作動状態を異常と判定し（Ｓ２８０）、異常判定処理を終了する。
一方、主制御部７は、第１時間が「３００ｍｓ」未満である場合は（Ｓ２１０：Ｎｏ）、Ｓ２２０に処理を進める。
【００３４】
次に、主制御部７は、第１時間が「２００ｍｓ」以上であるか否かを判定する（Ｓ２２０）。
主制御部７は、第１時間が「３００ｍｓ」未満であるが、「２００ｍｓ」以上であるか否かを判定する。
第１時間が「２００ｍｓ」以上である場合は（Ｓ２２０：Ｙｅｓ）、主制御部７は、セキュリティ強化のため、エラーレベルをレベル１から、より閾値の低いレベル２を設定する（Ｓ２３０）。
このとき、エラーレベルの初期化条件であるメダル払出装置６における１回の払い出しが完了するまで、移行されたレベルを維持した状態で、異常判定処理を実施することになる。
一方、主制御部７は、第１時間が「２００ｍｓ」未満である場合は（Ｓ２２０：Ｎｏ）、異常判定処理を終了する。
【００３５】
次に、主制御部７は、第１時間が「２００ｍｓ」以上であるか否かを判定する（Ｓ２４０）。
このとき、主制御部７は、エラーレベルにレベル２を維持した状態で、第１時間が「２００ｍｓ」以上である場合は（Ｓ２４０：Ｙｅｓ）、メダル払出装置６の作動状態を異常と判定し（Ｓ２８０）、異常判定処理を終了する。
一方、主制御部７は、第１時間が「２００ｍｓ」未満である場合は（Ｓ２４０：Ｎｏ）、Ｓ２５０に処理を進める。
【００３６】
次に、主制御部７は、第１時間が「１００ｍｓ」以上であるか否かを判定する（Ｓ２５０）。
主制御部７は、第１時間が「２００ｍｓ」未満であるが、「１００ｍｓ」以上であるか否かを判定する。
第１時間が「１００ｍｓ」以上である場合は（Ｓ２５０：Ｙｅｓ）、主制御部７は、セキュリティ強化のため、エラーレベルをレベル２から、さらに閾値の低いレベル３を設定する（Ｓ２６０）。
このとき、レベル２と同様、エラーレベルの初期化条件であるメダル払出装置６における１回の払い出しが完了するまで、移行されたレベルを維持した状態で、異常判定処理を実施することになる。
一方、主制御部７は、第１時間が「１００ｍｓ」未満である場合は（Ｓ２５０：Ｎｏ）、異常判定処理を終了する。
【００３７】
次に、主制御部７は、第１時間が「１００ｍｓ」以上であるか否かを判定する（Ｓ２７０）。
このとき、エラーレベルは、設定されたレベル３を維持した状態で、異常判定処理が実施され、主制御部７は、第１時間が「１００ｍｓ」以上である場合は（Ｓ２７０：Ｙｅｓ）、メダル払出装置６の作動状態を異常と判定し（Ｓ２８０）、異常判定処理を終了する。
一方、主制御部７は、第１時間が「１００ｍｓ」未満である場合は（Ｓ２７０：Ｎｏ）、異常判定処理を終了する。
【００３８】
この結果、例えば、不正行為に対するセキュリティを強化するため、メダルの払い出し時間において、異常と判定する時間を短く設定したために起きてしまう誤検出の発生を防止することができる。
【００３９】
続いて、段階的な異常判定処理について、具体的に図９に示す（ａ）〜（ｆ）の各ケースを参照しながら説明する。
なお、図９に示す（ａ）〜（ｆ）の各ケースおいて、「エラーレベル」の欄には、払い出されるメダルごとに現状のエラーレベルを示し、「第１時間」の欄には、メダルごとの検出している時間を示している。
また、図９に示す（ａ）〜（ｆ）の各ケースでは、メダル払出装置６の１回の払い出しを５枚としたときを一例としており、エラーレベルの初期化は、この１回の払い出しの完了を条件としている。
すなわち、段階的な異常判定処理は、１回の払い出しが完了した時点で、エラーレベルにレベル２やレベル３が設定されていても、レベル１に初期化される。
【００４０】
図９（ａ）ケース１では、１枚目に払い出されたメダルの第１時間は、「２０ｍｓ」であり、「３００ｍｓ」以上、又は「２００ｍｓ」以上でないため、エラーレベルは、レベル１が維持される。
しかし、２枚目に払い出されたメダルの第１時間は、「２５０ｍｓ」であり、「３００ｍｓ」未満であるが、「２００ｍｓ」以上であるため、エラーレベルがレベル１からレベル２に移行され強化される。
３枚目以降は、レベル２の閾値で異常判定処理が行われるが、３枚目以降に払い出されたメダルいずれも、第１時間が「２００ｍｓ」以上、又は「１００ｍｓ」以上でないため、主制御部７は、メダル払出装置６の作動状態を「異常なし」と判定することになる。
【００４１】
図９（ｂ）ケース２では、図９（ａ）ケース１と同様、２枚目に払い出されたメダルの第１時間が「２５０ｍｓ」であり、「３００ｍｓ」未満であるが、「２００ｍｓ」以上であるため、エラーレベルがレベル１からレベル２に移行され強化される。
また、４枚目に払い出されたメダルの第１時間は、「１５０ｍｓ」であるため、「２００ｍｓ」未満であるが、「１００ｍｓ」以上であるため、エラーレベルがレベル２からレベル３に移行され、さらに強化される。
５枚目は、レベル３の閾値で異常判定処理が行われるが、第１時間が「１００ｍｓ」以上でないため、主制御部７は、メダル払出装置６の作動状態を「異常なし」と判定することになる。
【００４２】
図９（ｃ）ケース３では、４枚目に払い出されたメダルまで第１時間が、図９（ｂ）ケース２と同じであるため、４枚目のメダルが払い出された時点で、エラーレベルは、レベル３に移行され強化される。
しかし、５枚目に払い出されたメダルの第１時間は、「１５０ｍｓ」であり、レベル３の閾値で異常判定処理が行われるが、第１時間が「１００ｍｓ」以上であるため、主制御部７は、メダル払出装置６の作動状態を「異常」と判定することになる。
【００４３】
図９（ｄ）ケース４では、１枚目に払い出されたメダルの第１時間は、「３５０ｍｓ」であり、「３００ｍｓ」以上であるため、エラーレベルの移行を行うことなく、主制御部７は、メダル払出装置６の作動状態を「異常」と判定することになる。
【００４４】
図９（ｅ）ケース５では、１枚目に払い出されたメダルの第１時間は、「２０ｍｓ」であり、「３００ｍｓ」以上でなく、「２００ｍｓ」以上でもないため、レベル１の閾値を維持して異常判定処理が行われる。
しかし、２枚目に払い出されたメダルの第１時間は、「３５０ｍｓ」で、「３００ｍｓ」以上であるため、主制御部７は、メダル払出装置６の作動状態を「異常」と判定することになる。
【００４５】
図９（ｆ）ケース６では、１枚目に払い出されたメダルの第１時間は、「２０ｍｓ」であり、レベル１の閾値を維持して異常判定処理が行われる。
しかし、２枚目に払い出されたメダルの第１時間は、「２５０ｍｓ」であり、「３００ｍｓ」未満であるが、「２００ｍｓ」以上であるため、エラーレベルがレベル１からレベル２に移行され強化される。
そのため、  ３枚目以降は、レベル２の閾値で異常判定処理が行われるが、３枚目に払い出されたメダルの第１時間は、「２５０ｍｓ」であり、第１時間が「２００ｍｓ」以上であるため、主制御部７は、メダル払出装置６の作動状態を「異常」と判定することになる。
【００４６】
このように、主制御部７は、第１時間に対して設定される第１閾値（本実施形態では３００ｍｓ）と、第１閾値より低い第２閾値（本実施形態では２００ｍｓ）と、第２閾値より低い第３閾値（本実施形態では１００ｍｓ）とが予め設定され、第１時間が第１閾値以上の場合には、メダル払出装置６の作動状態を異常と判定するとともに、第１時間が第１閾値未満、かつ、第２閾値以上である場合には、第１閾値を第２閾値に更新して、メダル払出装置６の作動状態を段階に判定する。
【００４７】
なお、第１閾値〜第３閾値の３段階の閾値を用いた場合を例にして、段階的な異常判定処理について説明したが、これに限るものではなく、例えば、第１閾値〜第４閾値の４段階の閾値としても良く、任意で複数段階の閾値を設定することが可能である。
また、第１時間が第１閾値未満（本実施形態では３００ｍｓ）、かつ、第２閾値（本実施形態では２００ｍｓ）以上である場合には、第１閾値を第２閾値に更新して、メダル払出装置６の作動状態を判定する場合を例にして説明したが、これに限るものではなく、例えば、第１閾値を第２閾値とは異なる第３閾値（本実施形態では１００ｍｓ）に更新して、メダル払出装置６の作動状態を判定することもできる。
【００４８】
続いて、図１０は、主制御部７とメダル払出装置６の構成を示すブロック図であり、図１１は、メダル払出装置６の作動状態が正常時及び異常時のホッパーモータ６１ｂに流れる電流と払出センサ６１ａから出力される検出信号を示すタイミングチャートである。
図１０に示すように、主制御部７は、時間記憶手段、時間計測手段、回数計数手段及び異常判定手段として機能する。
また、メダル払出装置６は、上述した通り、払出センサ６１ａと、ホッパーモータ６１ｂとを有し、払出センサ６１ａは、遊技媒体検出手段、ホッパーモータ６１ｂは、払出駆動手段としてそれぞれ機能する。
また、ホッパーモータ６１ｂに流れる電流を計測する電流計測手段は、例えば、電流センサ６１ｃをホッパーモータ６１ｂの電源ラインに設けることで、計測することができる。
このような構成によって、主制御部７は、払出センサ６１ａから出力される検出信号とホッパーモータ６１ｂに流れる電流とをそれぞれ比較することで異常判定処理を行う。
【００４９】
［ホッパーモータの電流を用いた異常判定処理］
次に、図１１を参照しつつ、ホッパーモータ６１ｂの電流を用いた異常判定処理について説明する。
【００５０】
ここで、図１１に示すように、ホッパーモータ６１ｂに流れる電流は、払出装置６１がメダルを払い出すときに、閾値（Ｉｔｈ１）を超えることになる。
これは、払出装置６１のメダルの払い出しに伴い、ホッパーモータ６１ｂに負荷（トルク）がかかるが、その負荷に比例してホッパーモータ６１ｂに流れる電流が大きくなるためである。
すなわち、メダルの払い出しを検出する払出センサ６１ａから検出信号が出力されるときは、ホッパーモータ６１ｂに流れる電流は、閾値（Ｉｔｈ１）を超えることになる。
しかし、検出信号がＬレベルの状態にも関わらず、ホッパーモータ６１ｂを強制的に駆動させ、メダルを払い出させる不正行為が行われることがある。
そのため、本実施形態では、払出センサ６１ａから出力される検出信号とホッパーモータ６１ｂに流れる電流を比較して、第１時間（検出信号のＯＮ状態）が検出されないにも関わらず、ホッパーモータ６１ｂに流れる電流値が閾値（Ｉｔｈ１）を超える場合には、メダル払出装置６の作動状態を異常と判定する。
このように、ホッパーモータ６１ｂの電流を用いた異常判定処理を行うことで、よりメダル装置６の不正行為に対するセキュリティを強化することができる。
【００５１】
しかし、メダル払出装置６は、ホッパーモータ６１ｂの通電開始時の突入電流や通電停止時の逆起電力による瞬間的なサージ電流などの影響によって、定速回転時に流れる電流と比較して、数十倍の大きな電流がホッパーモータ６１ｂに流れることがあり、このような大きな電流も閾値（Ｉｔｈ１）を超えてしまうという問題がある。
そのため、本実施形態では、図１２に示すように、ホッパーモータ６１ｂの定速回転時に流れる電流を検出する閾値（Ｉｔｈ１）より、突入電流やサージ電流などを検出するさらに大きい閾値（Ｉｔｈ２）を設定して、２段階の閾値（Ｉｔｈ１＜Ｉｔｈ２）を用いている。
このような２段階の閾値を設定することにより、突入電流やサージ電流などの影響によって、閾値（Ｉｔｈ２）を超える電流は、異常判定処理から除外することができる。
その結果、急な電流変動に影響を受けることなく、高精度にホッパーモータ６１ｂに流れる電流の変化を検出することができるため、高精度なメダル払出装置６の異常判定処理を行うことができる。
【００５２】
また、このような２段階の閾値（Ｉｔｈ１＜Ｉｔｈ２）を用いれば、払出装置６１の払出ディスク６１ｄにメダルが引っ掛かったり、メダル払出口６ａが塞がってしまうことで生じる「メダル詰まり」と「不正行為」とを区別することができる。
【００５３】
すなわち、「メダル詰まり」が生じているときは、強制的にホッパーモータ６１ｂが停止してしまうため、大きな負荷がかかり、ホッパーモータ６１ｂに流れる電流は、閾値（Ｉｔｈ２）を超える電流が流れることになる。
従って、「メダル詰まり」が生じたとき、「不正行為」が行われたときともに第１時間（検出信号のＯＮ状態）が検出されず、ホッパーモータ６１ｂに流れる電流値が閾値（Ｉｔｈ１）を超える場合があるが、閾値（Ｉｔｈ２）を超えるか否かで、区別することができ、不正行為を早期に発見することが可能になる。
【００５４】
［サンプリングした第１時間と第２時間とのデータを用いる異常判定処理］
続いて、一定の区間ごとにサンプリングした第１時間と第２時間とのデータを用いる異常判定処理について説明する。
【００５５】
主制御部７は、時間記憶手段として機能し、第１時間と第２時間（１回あたりの払い出し時間）がＲＷＭ（Ｒｅａｄ  Ｗｒｉｔｅ  Ｍｅｍｏｒｙ）の所定のリングバッファに蓄積されて記憶される。
そのため、ＲＷＭの記憶領域において、第１時間と第２時間とを一定の区間ごとに記憶するリングバッファとして機能する。
例えば、一定の区間を１００回としたとき、１回目〜１００回目までの１００回分の第１時間と第２時間とのデータをそれぞれ記憶している場合、１０１回目の払い出しが終了すると、最先のデータである１回目のデータを記憶した記憶領域に、１０１回目のデータが上書きされ、これにより時間記憶手段は、１回目のデータを破棄するとともに１０１回目のデータを新たに記憶することになる。
【００５６】
そして、主制御部７は、リングバッファに記憶された１００回分ごとの第１時間と第２時間とのデータを平均化して求めた平均データに基づいて、第１時間と第２時間とをそれぞれ更新する。
また、主制御部７は、時間計測手段、異常判定手段として機能することで、更新した第１時間の基準時間をａ、更新した第２時間の基準時間をｂとしたとき、第１時間が、「２ａ＋ｂ」よりも長い場合に、メダル払出装置６の作動状態を異常と判定することができる。
【００５７】
すなわち、このような一定の区間ごとにサンプリングした第１時間と第２時間との平均データに基づいて、第１時間と第２時間とを随時、それぞれ更新して、異常判定処理を行うことができるため、例えば、払出センサ６１ａの個体差や経年劣化などの影響によって生じる誤判定を防ぐことができる。
【００５８】
続いて、本実施形態では、一定の区間ごとにそれぞれ平均化して求めた平均データに基づいて、主制御部７が「平均データ」と予め定めた基準値（以下、交換基準値という）とを比較した結果、「平均データ」が「交換基準値」に達したと判定した場合には、払出センサ６１ａの交換を促す報知を行う構成となっている。
【００５９】
次に、図１３（ａ）に示すような第１時間と第２時間のデータから、リングバッファに記憶された１００回分ごとの第１時間と第２時間のデータを平均し、また、交換基準値の第１時間を４０ｍｓ、第２時間を８０ｍｓとしたときを一例として、「平均データ」と「交換基準値」の比較例及び報知手段を説明する。
【００６０】
また、図１３（ｂ）は、第１時間と第２時間の平均データを所定の回数に到達したごとに示しており、一例として「工場出荷時」、「１万回到達時」、「１００万回到達時」、「２００万回到達時」及び「５００万回到達時」にそれぞれ到達したときを示している。
【００６１】
例えば、「工場出荷時」は、遊技場に設置される前の第１時間と第２時間を示しており、初期値のデータである。
「１万回到達時」は、メダルの払い出しが１００００回行われた際の９９００回〜１００００回の第１時間と第２時間それぞれの平均データを示している。
そして「１万回到達時」は、第１時間及び第２時間ともに、交換基準値を下回っているため、メダル払出装置６の作動状態の判定結果は、「正常」となる。
【００６２】
一方、「５００万回到達時」は、メダルの払い出しが５００００００回行われた際の４９９９９００回〜５００００００回の第１時間と第２時間それぞれの平均データを示している。
そして「５００万回到達時」は、第２時間は、交換基準値を下回っているが、第１時間が４２ｍｓであるため、第１時間の交換基準値である４０ｍｓを上回っているため、メダル払出装置６の作動状態の判定結果は、「交換要求」となる。
このように、第１時間又は第２時間の「平均データ」のどちらか一方でも「交換基準値」に達したと判定された場合、部品の交換の必要性を表示する報知を行うことになる。
【００６３】
次に、図１４を参照しつつ、部品の交換の必要性を表示する報知手段について説明する。
報知手段は、画面に動画や静止画を表示して、遊技の進行に合わせた演出が行われる、例えば、液晶表示ディスプレイなどの表示器９ｃなどである。
図１４は、表示器９ｃに表示される画面を示しており、図１４（ａ）は前扉１ａが閉状態時の選択画面、図１４（ｂ）は前扉１ａが開状態時の選択画面、図１４（ｃ）は選択画面で選択されたホール様専用画面である。
図１４（ａ）、（ｂ）に示す選択画面は、例えば、スロットマシン１の内部に設けられた設定キースイッチに対し、設定キーが所定の位置にあるときに表示器９ｃに表示される画面である。
そして、図１４（ａ）、（ｂ）に示すように、「ホール様専用画面」は、前扉１ａが開状態時に選択が可能な状態になる。
そのため、遊技場の従業員は、前扉１ａが開状態のときに、図１４（ｂ）の選択画面にて、「ホール様専用画面」の表示箇所をタッチすることで、「ホール様専用画面」を表示することができる。
【００６４】
図１４（ｃ）に示す「ホール様専用画面」は、スロットマシン１に備えられている部品（各種センサ）の交換の必要性を表示する画面である。
例えば、この画面では、一例として、メダル払出装置６に設けられた払出センサ６１ａに加え、メダルセレクタ１０内のメダルを検出するセンサや各リール４１ａ、４１ｂ、４１ｃの回転位置を検出するセンサなどの交換の必要性を表示している。
そして、「平均データ」が「交換基準値」に達すると、スロットマシン１に備えられた部品の交換を促すことを表示器９ｃに表示されるため、最適な部品の交換時期を認識することができる。
図１４（ｃ）に示す例では、メダルセレクタ１０とドラムユニット４にそれぞれ設けられたセンサは、問題がなかったが、メダル払出装置６に設けられた払出センサ６１ａの「平均データ」が「交換基準値」に達したため、払出センサ６１ａの交換を促す報知が行われたものである。
このような部品の交換の必要性を報知することで、効果的なメンテナンスが可能となるため、安定したスロットマシン１の稼動を確保することができる。
なお、報知手段は、表示器９ｃに限られず、例えば、スピーカ９ｂによって音声メッセージによるアナウンスやランプ９ａによって点灯又は点滅させることで部品の交換を促すようにしても良い。
これにより、より安全で信頼性の高いメダル払出装置６を実現することができるようになる。
【００６５】
続いて、具体的に払出装置６１から払い出されるメダルの検出について説明する。
図１５は、払出センサ６１ａと回転板６１ｅとの位置関係を示しており、図１５（ａ）は払出装置６１の外観を示す平面図、図１５（ｂ）は回転板６１ｅの拡大図である。
図１５に示すように、払出装置６１の傾斜面の上流側となる一側縁には、ホッパー払出口６１ｆが備えられ、このホッパー払出口６１ｆから前扉１ａの下部にあるメダル払出口６ａに向けてメダルが払い出される。
また、ホッパー払出口６１ｆの近傍には、払い出されるメダルの動きに連動して一方向に回転する回転板６１ｅが備えられ、さらに、この回転板６１ｅの近傍には、払出センサ６１ａが備えられている。
そして、回転板６１ｅには、扇状の複数の回転片６２０（本実施形態では３個）が周設されており、メダルが払い出された際、この回転片６２０がコの字状の払出センサ６１ａの投光部と受光部との間に進入することで、投光部から受光部へ投光される光を遮る構成となっている。
従って、払出装置６１がメダルを払い出していないときには、回転板６１ｅが回転しないため、回転片６２０に遮られることはなく、受光部は、投光部から透光される光を検出する。
【００６６】
一方、払出装置６１がメダルを払い出しているときは、回転板６１ｅの回転片６２０が払い出されるメダルの動きに連動して回転するため、払出センサ６１ａの投光部と受光部との間に進入する。
その結果、投光部と受光部との間に進入した回転片６２０が、投光部からの光を遮り、受光部が光を遮られたことを検出するため、メダルが払い出されたことを検出する。
これにより、メダルが払い出されるたびに、払出センサ６１ａから検出信号が出力されるため、この検出信号によってメダルの払出枚数がカウントされるようになっている。
そして、主制御部７は、検出信号を検出するたびに、遊技結果に応じて決定されたメダルの払出枚数を減算し、決定されたメダルの払出枚数に到達したときにホッパーモータ６１ｂの駆動を停止するように制御する。
【００６７】
これに対し、図１６（ａ）、（ｂ）に示す回転板６１ｅには、図１５に示す回転板６１ｅには無いスリット６２２が回転片６２０に形成されている。
スリット６２２は、回転板６１ｅに形成された各回転片６２０間の間よりも周方向に短く、各回転片６２０間の間と区別できるように形成されている
このようなスリット６２２を設けることで、回転板６１ｅが、本来と逆方向に回転するという異常な状態を検出することができる。
【００６８】
［スリットが形成された回転板を用いた異常判定処理］
ここで、図１７及び図１８を参照しながら、具体的にスリット６２２が形成された回転片６２０を備える回転板６１ｅを用いた異常判定処理について説明する。
【００６９】
図１７は、回転板６１ｅに３つの回転片６２０を有する場合を例としており、図１７（ａ）は回転板６１ｅの正面図、図１７（ｂ）はメダル払出装置６が正常時における検出信号のタイミングチャート、図１７（ｃ）はメダル払出装置６が異常時における検出信号のタイミングチャートである。
図１７に示す回転板６１ｅは、第１回転片６２０ａ、第２回転片６２０ｂ及び第３回転片６２０ｃを有して構成される。
そして、第１回転片６２０ａには、スリット６２２が形成されておらず、第２回転片６２０ｂには、１つのスリット６２２、第３回転片６２０ｃには、２つのスリット６２２がそれぞれ形成されており、回転片６２０ごとに、異なる数のスリット６２２が形成されている。
すなわち、回転板６１ｅには、互いに異なる形状の第１回転片６２０ａ、第２回転片６２０ｂ及び第３回転片６２０ｃがそれぞれ形成されている。
【００７０】
このように回転板６１ｅの回転片６２０にスリット６２２を形成することで、回転板６１ｅの回転方向を検出することができる。
具体的には、払出装置６１がメダルを払い出しているときは、上述した通り、回転片６２０によって投光部からの光が一旦遮られるが、回転片６２０に形成されたスリット６２２を介することで、スリット６２２の数だけ受光部が光を検出することになる。
その結果、図１７（ｂ）に示すように、１枚目に払い出されたメダルの検出信号は、第１回転片６２０ａの波形、２枚目に払い出されたメダルの検出信号は、第２回転片６２０ｂの波形、３枚目に払い出されたメダルの検出信号は、第３回転片６２０ｃの波形が、それぞれ出力される。
【００７１】
一方、回転板６１ｅが本来と逆方向に回転している場合は、図１７（ｃ）に示すように１枚目に払い出されたメダルの検出信号は、第３回転片６２０ｃの波形、２枚目に払い出されたメダルの検出信号は、第２回転片６２０ｂの波形、３枚目に払い出されたメダルの検出信号は、第１回転片６２０ａの波形が、それぞれ出力される。
従って、互いに異なる形状の第１回転片６２０ａ、第２回転片６２０ｂ及び第３回転片６２０ｃをそれぞれ含む回転板６１ｅを設けることで、回転板６１ｅの回転方向を検出することができる。
【００７２】
さらに、払出センサ６１ａが各回転片６２０に形成されたスリット６２２を検出しているときの短いＯＦＦ状態をＯＮ状態とし、そのＯＮ状態を第１時間とみなすことで、第１時間が、「２ａ＋ｂ」よりも長い場合に、メダル払出装置６の作動状態を異常と判定する異常判定処理など、上述で説明した複数の異常判定処理も実施することができる。
従って、本実施形態の回転板６１ｅによれば、１つの払出センサ６１ａだけで、メダルの払い出しに対する異常判定処理を行うとともに、回転板６１ｅの回転方向の検出もできるため、部品点数が削減でき、スロットマシン１の製造コストを抑えることができる。
【００７３】
続いて、図１８に示す変形例は、回転板６１ｅに４つの回転片６２０を有する場合を例としたものである。
回転板６１ｅに４つの回転片６２０を有する場合も上述で説明した通り、少なくとも互いに異なる形状の第１回転片６２０ａ、第２回転片６２０ｂ及び第３回転片６２０ｃをそれぞれ含み、この順に並んで払出センサ６１ａに検出されるように形成することで、回転板６１ｅの回転方向を検出することができる。
ここで、回転板６１ｅが４つ以上の回転片６２０を備える場合、第３回転片６２０ｃの次に形成される他の回転片６２０ｄは、第２回転片６２０ｂ以外である必要がある。
そのため、図１８に示す変形例では、他の回転片６２０ｄを第２回転片６２０ｂ以外である第１回転片６２０ａと同一の形状にした場合を一例としているが、その他に、他の回転片６２０ｄを第３回転片６２０ｃやその他の形状にしても良い。
これにより、図１８（ｂ）に示すように、１枚目に払い出されたメダルの検出信号は、第１回転片６２０ａの波形、２枚目に払い出されたメダルの検出信号は、第２回転片６２０ｂの波形、３枚目に払い出されたメダルの検出信号は、第３回転片６２０ｃの波形、４枚目に払い出されたメダルの検出信号は、他の回転片６２０ｄの波形がそれぞれ出力される。
【００７４】
一方、回転板６１ｅが本来と逆方向に回転している場合は、図１８（ｃ）に示すように１枚目に払い出されたメダルの検出信号は、他の回転片６２０ｄの波形、２枚目に払い出されたメダルの検出信号は、第３回転片６２０ｃの波形、３枚目に払い出されたメダルの検出信号は、第２回転片６２０ｂの波形が、４枚目に払い出されたメダルの検出信号は、第１回転片６２０ａの波形が、それぞれ出力される。
その結果、回転板６１ｅが正常な方向に回転している図１８（ｂ）に示す波形と異なり、回転板６１ｅが逆方向に回転していることを検出することができる。
従って、主制御部７は、比較的簡易な構成で、メダル払出装置６の作動状態を異常と判定することができる。
また、回転板６１ｅに４つ以上の回転片６２０を有する場合も、３つの回転片６２０を形成した場合と同様に、払出センサ６１ａが各回転片６２０に形成されたスリット６２２を検出しているときの短いＯＦＦ状態をＯＮ状態とし、そのＯＮ状態を第１時間とみなすことで、上述で説明したメダルの払い出しに対する複数の異常判定処理を実施することができる。
【００７５】
なお、第１回転片６２０ａ、第２回転片６２０ｂ及び第３回転片６２０ｃに形成したスリット６２２の数は、上述した数に限られず、それぞれ互いに異なる形状になるようにスリット６２２が形成されていれば良い。
また、回転板６１ｅに周設された複数の回転片６２０の長さを周方向に互いに異なるように形成し、検出信号のＯＮ状態の長さを回転片６２０ごとに異なるようにしても良い。
また、回転板６１ｅの回転片６２０の形状を変更し、検出信号のＯＮ状態である第１時間の基準時間ａを短く、検出信号のＯＦＦ状態である第２時間の基準時間ｂを長くすることで、第１時間と第２時間との差異をより明確にできるため、異常判定処理の精度を向上することができる。
さらに、遊技媒体検出手段は、上述したフォトインタラプタなどを用いた非接触型のセンサ以外にも、例えば、回転する第１回転片６２０ａ、第２回転片６２０ｂ及び第３回転片６２０ｃの表面によって押されて作動する接触型のマイクロスイッチなどを用いて、回転片６２０に形成された異なる形状のスリットを検出するようにしても良い。
【００７６】
以上のように、本発明の実施形態に係る遊技機によれば、メダル払出装置６の検出信号
に基づいて、第１時間の基準時間をａ、第２時間の基準時間をｂとしたとき、第１時間が、「２ａ＋ｂ」よりも長い場合にメダル払出装置６の作動状態を異常と判定する異常判定手段を備えるため、検出信号を加工する不正行為を監視することができる。
その結果、不正にメダルの払い出しを行う不正行為を防ぐことができるため、遊技場が不測の損害を被ることを回避することができる。
【００７７】
一方、従来の遊技機では、特許文献１に開示されているように、本発明のような異常判定手段を備えていないため、電波照射などによって、不正にメダルの払い出しが行われる可能性があった。
本発明の遊技機によれば、従来の遊技機が改善すべきこのような課題の全部、又は一部を解決することができる。
【００７８】
以上、本発明の遊技機の好ましい実施形態について説明したが、本発明に係る遊技機は上述した実施形態にのみ限定されるものではなく、本発明の範囲で種々の変更実施が可能である。
例えば、本実施形態では、本発明をスロットマシン１に適用して説明したが、これに限るものではなく、例えば、パチンコ（例えば、玉スロ）などその他の遊技機にも適用することができる。
また、メダル払出装置６に備えられているメダルの払い出しを検出する払出センサ６１ａを例にして、センサの複数の異常判定処理及び交換を促す報知方法などについて説明したが、これに限るものではない。
例えば、ドラムユニット４に設けられ、各リール４１ａ、４１ｂ、４１ｃの回転位置を検出するセンサ、メダルセレクタ１０に設けられ、メダル投入口２から投入されたメダルの通過を検出するセンサなど、遊技機に備え付けられている光学式センサ又は機械式センサ問わず、適用することができる。
【符号の説明】
【００７９】
１  スロットマシン（遊技機）
６  メダル払出装置（遊技媒体払出手段）
７  主制御部（時間計測手段、異常判定手段、回数計数手段、時間記憶手段）
８  副制御部
９ｃ  表示器（報知手段）
６０  ホッパー
６１  払出装置
６１ａ  払出センサ（遊技媒体検出手段）
６１ｂ  ホッパーモータ（払出駆動手段）
６１ｃ  電流センサ（電流計測手段）
６１ｄ  払出ディスク
６１ｅ  回転板
６１ｆ  ホッパー払出口
６１０  メダル孔
６１１  回転軸
６２０  回転片
６２１  中心軸
６２２  スリット
ａ  第１時間の基準時間
ｂ  第２時間の基準時間
Ａ  異常回数
【図１】
2020120808.tif 000003
【図２】
2020120808.tif 000004
【図３】
2020120808.tif 000005
【図４】
2020120808.tif 000006
【図５】
2020120808.tif 000007
【図６】
2020120808.tif 000008
【図７】
2020120808.tif 000009
【図８】
2020120808.tif 000010
【図９】
2020120808.tif 000011
【図１０】
2020120808.tif 000012
【図１１】
2020120808.tif 000013
【図１２】
2020120808.tif 000014
【図１３】
2020120808.tif 000015
【図１４】
2020120808.tif 000016
【図１５】
2020120808.tif 000017
【図１６】
2020120808.tif 000018
【図１７】
2020120808.tif 000019
【図１８】
2020120808.tif 000020